(57)【要約】【課題】  ライン状にその照射範囲が広がる照明器具を開発すると共に、その特長により光の演出効果を奏することができる照明器具のユニットを提供すること。【解決手段】  照明器具９を収容する本体２と、この本体２をその長手方向の両端で、それぞれ支持する上下支持部３，４と、前記本体２の長手方向の回転軸Ａを中心に、本体２を時計周りに１８０度及び反時計周りに１８０度の範囲で回転させる回転機構５を備える。  かかる前記ユニット１は、図１のように、ブラケット７を介して壁面Ｗ等に固定される。【選択図】        図１
2018014305.tif 000002
【特許請求の範囲】
【請求項１】
照明器具を収容する本体と、この本体をその長手方向の両端で支持する上下支持部と、前記本体の長手方向の回転軸を中心に、その本体を回転させる回転機構を備える照明器具ユニット。
【請求項２】
前記回転機構は、前記本体を時計周りに約１８０度及び反時計周りに約１８０度の範囲で回転させることを特徴とする請求項１に記載の照明器具ユニット。
【請求項３】
前記回転機構は、所定の回転角度毎に、その角度を維持できるクリック機構を備えることを特徴とする請求項２に記載の照明器具ユニット。
【請求項４】
前記ユニットは、前記上下支持部がブラケットを介して壁面に固定されることを特徴とする請求項１に記載の照明器具ユニットの配置構造。
【請求項５】
前記壁面に固定されている前記ユニットと、これに交差させる前記ユニットを前記壁面に固定することを特徴とする請求項４に記載の照明器具ユニットの配置構造。
【発明の詳細な説明】
【技術分野】
【０００１】
本願発明は、照明器具の一単位を構成することができる照明器具ユニット及びその配置構造に関する。
【背景技術】
【０００２】
出願人は、ＬＥＤプレートをアルミ押出し形材のケースに取付けて構成される、面発光体の照明器具を開発すると共に、その照明器具の建材への適用例についても、その研究、開発を進めている。
例えば、特許文献１では、ＬＥＤプレートを形材に配置し、そのＬＥＤプレートの上からコーティング材を充填して照明器具を構成し、その照明器具を内ケースとして、外ケースに組み込んでいる建材を提案している。
かかる建材は、建物の方立、無目、巾木、下枠等に取り付け、室内においては壁面の巾木等に取り付けられるもので、建物の出入り口、通路等での足元灯、誘導灯の照明として、通行者等に安全、安心感を与え、また建物のライトアップを図ることとしている（同文献の段落００４１）。
【０００３】
さらに、出願人は、建材と前記照明器具とのコラボレーションのみならず、前記照明器具と形材とを組合わせて、前記照明器具の応用範囲を拡げようにしている。
【先行技術文献】
【特許文献】
【０００４】
【特許文献１】特開２０１３−１０５６１１号公報
【発明の概要】
【発明が解決しようとする課題】
【０００５】
かかる開発過程において、本願の発明者は、ライン状にその照射範囲が広がる面発光体の特長を生かすることができる照明器具を開発すると共に、その特長により光の演出効果を奏することができる照明器具のユニット及びその配置構造を提供することを企図した。
【課題を解決するための手段】
【０００６】
上記課題を解決するため、照明器具を収容する本体と、この本体をその長手方向の両端で支持する上下支持部と、前記本体の長手方向の回転軸を中心に、その本体を回転させる回転機構を備える照明器具ユニットとした（請求項１に記載の発明）。
【０００７】
前記回転機構は、前記本体を時計周りに約１８０度及び反時計周りに約１８０度の範囲で回転させることを特徴とする照明器具ユニットとした（請求項２記載の発明）。
【０００８】
前記回転機構は、所定の回転角度毎に、その角度を維持できるクリック機構を備えることを特徴とする照明器具ユニットとした（請求項３に記載の発明）。
【０００９】
前記ユニットは、前記上下支持部がブラケットを介して壁面に固定されることを特徴とする照明器具ユニットの配置構造とした（請求項４に記載の発明）。
【００１０】
前記壁面に固定されている前記ユニットと、これに交差させる前記ユニットを前記壁面に固定することを特徴とする照明器具ユニットの配置構造とした（請求項５に記載の発明）。
【発明の効果】
【００１１】
本発明によれば、本体を回転させる回転機構を備える照明器具ユニットとしたことで、ライン状にその照射範囲が広がる照明器具の新たな使用方法を提供できる。
前記回転機構は、前記本体を時計周りに約１８０度及び反時計周りに約１８０度の範囲で回転させ、本体の回転範囲を制限することで、本体に収容されている照明器具の配線の保護を図ることができる。
前記回転機構は、前記クリック機構を備えることで、本体の回転角度を維持され、照明器具による照射範囲が安定化される。
【００１２】
前記照明器具ユニット（以下、ユニットとも称する）は、前記上下支持部がブラケットを介して壁面に固定されるので、本体の回転角度により、直接照明として配光したり、間接照明として配光することができる。
前記壁面に固定されている前記ユニットと、これに交差させる前記ユニットを前記壁面に固定することで、ライン状にその照射範囲が広がる照明器具の光に加えて、十文字状等の光の演出効果が奏される。
【図面の簡単な説明】
【００１３】
【図１】本発明に係る照明器具ユニット及びその配置構造を示す斜視図、
【図２】ユニットの取付状態を示す平面図及び同側面図、
【図３】（１）ユニットの本体を構成する収容形材の平面図、（２）ユニットのカバー材の平面図、
【図４】ユニットの要部斜視図、
【図５】ユニットの回転機構を示す分解斜視図、
【図６】同回転機構の配置図、
【図７】ユニットのクリック機構を示す斜視図、
【図８】ユニットの組立状態を示す斜視図、
【図９】（１）〜（３）及び（１）〜（３）´  同回転機構の作用を示す説明図、
【図１０】（１）〜（３）  同回転機構のメカニズムを示す説明図、
【図１１】（１）〜（３）´同回転機構のメカニズムを示す説明図、
【図１２】ユニットの配置構造を示す正面図、
【図１３】ユニットの配置構造を示す正面図、
【図１４】ユニットの配置構造を示す正面図、
【図１５】ユニットの配置構造を示す斜視図である。
【発明を実施するための形態】
【００１４】
本発明に係る照明器具ユニット１は、図１及び図２に図示したように、照明器具９を取付ける本体２と、この本体２をその長手方向の両端で、それぞれ支持する上下支持部３、４と、前記本体２の長手方向の回転軸Ａを中心に、本体２を時計周りに約１８０度及び反時計周りに約１８０度の範囲で回転させる回転機構５を備える。
かかる前記ユニット１は、図１のように、ブラケット７を介して壁面Ｗ等に配置され固定される。
【００１５】
前記本体２は、前記照明器具９を収容する収容形材２０と、この収容形材２０に形成されている開口部２１をカバーするカバー材６からなる。
【００１６】
前記収容形材２０は、図３（１）に図示したように、その長手方向に交差する面における断面の形状が略コ字状に形成されて前記開口部２１が形成されると共に、その長手方向の内周面２００に沿って、前記照明器具９を取付ける照明器具取付ヒレ２３、前記カバー材６を取付けるカバー材取付ヒレ２４及び前記開口部２１の開口幅が拡がってしまうことを防止する防止ヒレ２５が形成されている。
【００１７】
前記開口部２１は、前記収容形材２０の自由端部２０１に傾斜面２２を備えて構成されている。この傾斜面２２は自由端部２０１の先端において傾斜角度が鋭角状に形成されたもので、前記照明器具９からの照射光の拡散範囲を広げるようにしている。
【００１８】
前記照明器具取付ヒレ２３は、前記照明器具９のアルミ形材９０（後述）をスライド可能に取付けるもので、図２のように前記アルミ形材９０の端部を挟み込める凹状に形成され、それぞれ対向して配置されている。
【００１９】
前記カバー材取付ヒレ２４は、前記カバー材６をスライド可能に取付けることができるように溝状に形成され、それぞれ対向して配置されている。
【００２０】
前記防止ヒレ２５は、前記取付ヒレ２３と前記カバー材取付ヒレ２４の間で略Ｌ字状に突設され、且つ、それぞれ対向して配置されている。後述するように前記略Ｌ字状の突片２５０が回転機構５の回転体５０の拡張防止部５０３に嵌り込むことで、その機能が発揮される。
【００２１】
前記カバー材６は、ポリカーボネート板からなるもので、前記照明器具９からの照射光を拡散させて、放射させるようになっている。
このカバー材６は、前記取付ヒレ２４の溝に入り込むスライド片６０を備えると共に前記傾斜面２２に接するカバー材傾斜面６１を備え、前記照明器具９からの照射光の拡散範囲を広げるようにしている。
なお、前記カバー材６から前記照明器具９の照射光が放射されることから、前記カバー材６が配置された面をＬＥＤ面Ｌと称する。
【００２２】
前記照明器具９は、図２に示したようにＬＥＤプレート９１を配置するアルミ形材９０と、ＬＥＤプレート９１をアルミ形材９０に押し付ける線材９２と、アルミ形材９０の端部まで充填されるコーティング材９３から形成されている。
前記ＬＥＤプレート９１は、ＬＥＤチップを電極パターンが描かれた基板に直接配置したモジュールから構成される。具体的には、ＬＥＤプレート９１は、例えば配線パターン及びアンカー部が形成される基板と、前記配線パターン上に施される補助メッキ及び金メッキを介して電極が接続されるＬＥＤチップからなる。ここにＬＥＤチップは、単一の発光色のもの、赤色、緑色及び青色に発光する各チップを並べたマルチタイプのもの等がある。前記ＬＥＤチップの周囲には、レンズ状（凸状）のコーティング層が形成されている。
【００２３】
以上のように構成される前記照明器具９は、１２チップ、１６チップ又は２０チップ等で、必要に応じて任意のチップ数を単位に構成される。
また、図示は省略するが、前記照明器具９は基盤連結部を介して、長尺状に接続することもできる。
【００２４】
前記上支持部３は、前記ブラケット７に固定されると共に、そのブラケット７を収容するブラケット収容部３２と、前記回転機構５を取付ける回転機構取付部３４を備えている。
【００２５】
前記ブラケット収容部３２は、壁面Ｗに面して開口され、その開口からブラケット７が挿入されると共に、ネジ孔３３を介して前記ブラケット７にネジ固定される。
【００２６】
前記回転機構取付部３４は、前記上支持部３の底面３０の開口端３１から上部にかけて形成された凸状のスペース３５によって形成されている（図６参照）。
【００２７】
前記下支持部４は、前記上支持部３と略同一に構成され、その回転機構取付部４０は、前記上支持部３の回転機構取付部３４に対向して形成されている。
なお、前記下支持部４に配置されている回転機構５は、上支持部３に配置されている回転機構５と同一であることから、前記上支持部３に配置されている回転機構５を代表例として説明する。
【００２８】
前記回転機構５は、図４及び図５に図示するように、前記本体２に取付けられる回転体５０と、これを回転可能に軸支持するホルダー５１と、このホルダー５１を取付けると共に前記開口端３１に固定されるベース５２と、前記回転体５０に空転可能に取付られ、且つ、前記回転体５０に対し前記ベース５２に形成されている規制片５２０と共に、前記回転体５０の回転範囲を規制するストッパ５３を備えている。
そして、図６のように、前記開口端３１に固定されるベース５２上にホルダー５１が配置され、その内部に前記回転体５０の規制部５０６及び軸部５０７（それぞれ後述）並びに前記ストッパ５３が収容され、且つ、前記ホルダー５１の上部から前記軸部５０７の先端が突出していると共に、前記開口端３１の下方に回転体５０の回転体固定部５００（後述）が位置されている。
前記軸部５０７の先端は、止め輪５４により固定されると共に、前記回転体５０が回転できるようにされている。
なお、付号「５５」は、前記照明器具９に通電する配線を図示している。
また、前記上支持部３の底面３０と前記本体２の端部との間には、若干のギャップＧが形成されており、前記本体２のスムースな回転が図られている。
【００２９】
前記回転体５０は、図４及び図５のように、前記本体２の端部に固定される回転体固定部５００（図８参照）と、回転体５０の回転範囲を規制する規制部５０６と、この回転体５０が回転可能なように、前記ホルダー５１に軸支持される軸部５０７からなる。
【００３０】
前記回転体固定部５００は、前記収容形材２０の端部の略コ字状の断面を覆うように、略ロ字状に形成され、その上面に前記回転体規制部５０６と軸部５０７が形成されている。
前記回転体固定部５００の両側面には、前記収容形材２０の取付ヒレ２３と前記収容形材２０の背面間の溝２７（図３参照）に挿入される圧入ヒレ５０１と、前記収容形材２０の防止ヒレ２５に係合される拡張防止部５０３が形成されている。
【００３１】
前記回転体固定部５００が前記開口部２１に臨む側面には、前記回転体固定部５００が照明器具９の照射光の進行の障害とならないように、前記開口部２１に向うに従い、その厚みを徐々に薄くする傾斜部５０５が形成されている。
【００３２】
前記圧入ヒレ５０１には、その上端に向うに従い肉厚となるテーパ５０２が形成され、前記圧入ヒレ５０１が前記溝２７に挿入された際に、前記回転体固定部５００が本体２に強固に装着されるようになっている。
この時、拡張防止部５０３も前記防止ヒレ２５に係合されて、前記開口部２１の開口幅が拡大されることを防止する。
【００３３】
前記固定部５００の内部には、クリック機構８が形成されている。
前記クリック機構８は、所定の回転角度毎に、その角度を維持できるもので、図７に図示されているように、孔８０と、この孔８０に入れられたステンレスボール８１と、これを孔８０から飛び出し方向に付勢するスプリング８２と、前記ベース５２に向けて付勢されるステンレスボール８１の回転軌道上に設けられた受穴８３から構成される。
前記受穴８３は、前記ベース５２の４か所に設けられており、時計周りに１８０度及び反時計周りに１８０度の範囲で回転させる回転機構５において、９０度毎にクリックされる。なお、回転角度は９０度に限定されるものではなく、受穴８３の数によって、所望の回転角度に設定することができる。
【００３４】
前記ホルダー５１は、前記回転体５０の軸部５０７が臨まれる軸部用開口５１０が形成され、その内部に前記ストッパ５３等を収容できるように椀状に形成されている。
【００３５】
前記ベース５２は、リング状に形成され、そのリング上に前記ストッパ５３と共に回転体５０の回転範囲を規制する規制片５２０が設けられており、リングの孔から前記回転体５０の回転体規制部５０６と軸部５０７が挿入配置される。
【００３６】
次に、図９乃至図１１に基づいて、前記ストッパ５３の作用効果を前記ベース５２の規制片５２０及び前記回転体５０の回転体規制部５０６の作用効果と共に説明する。
【００３７】
図９（１）のように、ＬＥＤ面Ｌが壁面Ｗに対向している位置を前記ユニット１の初期位置（正面位置）とする。
このとき、図１０（１）及び図１１（１）のように、前記回転体５０の回転体規制部５０６は、ストッパ５３の空洞切欠５３０の一端に位置している。
なお、図１０及び図１１において、紙面の右側が壁面Ｗである。
【００３８】
前記正面位置から図９（２）のように、本体２を時計回りに約９０度に回転させると、図１０（２）のように前記回転体５０の回転体規制部５０６は、ストッパ５３の空洞切欠５３０に沿って回転される。
さらに、本体２を時計回りに約９０度に回転させると、前記回転体５０の回転体規制部５０６が前記空洞切欠５３０の他端に当たる。このとき前記ストッパ５３の一端は、前記ベース５２の規制片５２０により、その回転体５０の軸部５０７に対する空転が規制されるので、本体２の１８０度以上の回転は、前記ストッパ５３により規制されることとなる。
【００３９】
一方、図９（１）の正面位置から図９（２）´のように、本体２を反時計回りに約９０度に回転させると、図１１（１）〜（２）´のように、前記回転体５０の回転体規制部５０６がストッパ５３の一端に当接されつつ、ストッパ５３を空転させて、本体２が回転される。
さらに、本体２を反時計回りに約９０度に回転させると、前記ストッパ５３の他端が前記ベース５２の規制片５２０により規制されるので、本体２の１８０度以上の回転は、ストッパ５３により規制されることとなる。
【００４０】
上記ユニット１の効果を纏めれば次の通りである。
（１）  本体２の断面形状が略正方形であって、装飾を排したシンプル、且つ、シャープな形態となっており、また上下支持部３，４も、同じく長手方向に交差する断面形状が、シンプルな長方形となっており、また回転機構５を備える照明器具として、いろいろな利用方法を提案することができる。
例えば、ベットサイドの壁面Ｗに水平に前記ユニット１を配置することより、壁面ＷにＬＥＤ面Ｌを向けるように回転させて間接照明とし、壁面Ｗに平行にＬＥＤ面Ｌを回転させて下方を照射させて読書灯とし、また壁面Ｗに平行にＬＥＤ面Ｌを配置して上方を照射させて照明灯とする利用方法を提案することができる。
（２）  前記回転機構５により、前記本体２の回転角度が、時計周りに約１８０度及び反時計周りに約１８０度に制限されているので、照明器具９の配線５５の捻じれが抑えられて、その保護を図ることができる。
（３）  前記クリック機構８を備えることで、本体２の所定の回転角度を維持され、照射範囲が安定的に維持される。
【００４１】
次に、図１２〜図１５に基いて、前記ユニット１の配置構造を説明する。
図１２は、壁面Ｗに対し前記ユニット１を水平方向に、又は垂直方向に配置すると共に前記ＬＥＤ面Ｌを壁面Ｗに対向させた配置構造となっていて、間接照明の配光となっている。
また、同図では、１本のユニット１ａを垂直方向に配置し、このユニット１ａに対して略直角に交差させた１本のユニット１ｂを前記壁面Ｗに固定している。
さらに、同図では、１本のユニット１ｃを垂直方向に配置し、このユニット１ｃに対して略直角に交差させた２本のユニット１ｄを前記壁面Ｗに固定しており、前記各ユニット１ｃ，１ｄが前記壁面Ｗからの高低差により階層的に配置される構造となっている。この場合、ユニット１ｄの前記支持部３，４の寸法をユニット１ｃの前記支持部３，４よりも長く（高く）することで、ユニット１ｃ，  １ｄの高低差を設けている。
【００４２】
図１３は、図１２と同様な配置構造であると共に、複数本の前記ユニット１を交差させて配置する場合に、前記各ユニット１の高低差を拡げて、高位の前記ユニット１の照射光が低位の前記ユニット１の本体２で反射させるようにしている。
かかる配置構造は、図１５のユニット１ｅとユニット１ｆに図示されている。
【００４３】
図１４は、壁面Ｗに対し前記ユニット１を水平方向に、又は垂直方向に配置すると共に、前記ＬＥＤ面Ｌを壁面Ｗに対向させて間接照明の配光とさせ、また、ユニット１ｇのＬＥＤ面Ｌを壁面Ｗに背向させて直接照明の配光とさせ、また、ユニット１ｈのＬＥＤ面Ｌを壁面Ｗに平行させて配光させている。
さらに、複数本の前記ユニット１を交差させて配置する場合に、ユニット１ｉはそのＬＥＤ面Ｌを壁面Ｗに背向させて直接照明の配光とさせ、一方、ユニット１ｊのＬＥＤ面Ｌは壁面Ｗに対向させている。
【００４４】
よって、図１２〜図１５に示した上記各配置構造により、ライン状にその照射範囲が広がる前記ユニット１の光や十字状に広がる前記ユニット１の光により、人の気分を新鮮にさせる演出効果が奏される。
なお、前記壁面Ｗに固定されている前記ユニット１と、これに交差させる前記ユニット１の交差角度は、略直角に限定されるものではなく、任意の角度とすることができる。
また、交差させる各ユニットの一方を、回転機構５を備えていない照明器具ユニットとしてもよい。
【００４５】
上記ユニット１の配置構造の効果を纏めれば次の通りである。
（４）  前記ユニット１は、前記上下支持部３，４がブラケット７を介して壁面Ｗに固定されるので、本体２の回転角度により、直接照明として使用し、間接照明として使用できる。
（５）  ライン状にその照射範囲が広がる前記ユニット１の光や十字状に広がる前記ユニット１の光により、人の気分を新鮮にさせる演出効果が奏される。
【００４６】
本発明は、以上説明した実施形態に限定されるものではなく、多くの変形が本発明の技術的思想内で当分野において、通常の知識を有する者により可能である。
【符号の説明】
【００４７】
１  照明器具ユニット
２  本体
２０  収容形材                          ２００  内周面
２０１  自由端部
２１  開口部                            ２２  傾斜面
２３  照明器具取付ヒレ                  ２４  カバー材取付ヒレ
２５  防止ヒレ                          ２５０  略Ｌ字状の突片
２７  溝
３  上支持部
３０  底面                              ３１  開口端
３２  ブラケット収容部                  ３３  ネジ孔
３４  ４０  回転機構取付部              ３５  スペース
４  下支持部
５  回転機構
５０  回転体
５００  回転体固定部                    ５０１  圧入ヒレ
５０２  テーパ                          ５０３  拡張防止部
５０５  傾斜部
５０６  回転体規制部                    ５０７  軸部
５１  ホルダー
５２  ベース
５１０  軸部用開口                      ５２０  規制片
５３  ストッパ                          ５３０  空洞切欠
５４  止め輪
５５  配線
６  カバー材
６０  スライド片                        ６１  カバー材傾斜面
７  ブラケット
８  クリック機構
８０  孔                                ８１  ステンレスボール
８２  スプリング                        ８３  受穴
９  照明器具
９０  アルミ形材                        ９２  線材
９３  コーティング材                    ９１  ＬＥＤプレート
Ａ  回転軸
Ｗ  壁面
Ｌ  ＬＥＤ面
Ｇ  ギャップ
【図１】
2018014305.tif 000003
【図２】
2018014305.tif 000004
【図３】
2018014305.tif 000005
【図４】
2018014305.tif 000006
【図５】
2018014305.tif 000007
【図６】
2018014305.tif 000008
【図７】
2018014305.tif 000009
【図８】
2018014305.tif 000010
【図９】
2018014305.tif 000011
【図１０】
2018014305.tif 000012
【図１１】
2018014305.tif 000013
【図１２】
2018014305.tif 000014
【図１３】
2018014305.tif 000015
【図１４】
2018014305.tif 000016
【図１５】
2018014305.tif 000017